(57)【要約】【課題】本発明は、低印刷密度パターンから高印刷密度パターンまで、全ての印刷密度パターンに対し、かぶりおよび印刷濃度薄のない良好な印刷品質を得ることを課題とする。【解決手段】本発明は、感光体の表面を帯電する帯電器と、前記感光体上に潜像を露光する光学系と、前記感光体上にトナー像を現像する現像機と、その最下部に回転により前記現像機にトナーを補給するトナー補給ローラーとを具備したトナーホッパーとを備えた電子写真装置において、前記トナー補給ローラーを、それぞれが独立して回転可能でかつその長手方向に並んで配設した複数個で構成したことを特徴とする。【選択図】図１
2004240229.tif 000002
【特許請求の範囲】
【請求項１】
感光体の表面を帯電する帯電器と、前記感光体上に潜像を露光する光学系と、前記感光体上にトナー像を現像する現像機と、その最下部に回転により前記現像機にトナーを補給するトナー補給ローラーとを具備したトナーホッパーとを備えた電子写真装置において、前記トナー補給ローラーをそれぞれが独立して回転可能でかつその長手方向に並んで配設した複数個で構成したことを特徴とする電子写真装置。
【請求項２】
感光体の表面を帯電する帯電器と、前記感光体上に潜像を露光する光学系と、前記感光体上にトナー像を現像する現像機と、その最下部に回転により前記現像機にトナーを補給するトナー補給ローラーとを具備したトナーホッパーとを備えた電子写真装置において、前記トナー補給ローラーをそれぞれが独立して回転可能でかつその長手方向に並んで配設した複数個で構成するとともに、印刷密度認識回路を設け、該印刷密度認識回路からの印刷密度信号に応じて前記トナー補給ローラーを選択回転させることを特徴とする電子写真装置。
【請求項３】
前記それぞれのトナー補給ローラーは、単独または組み合わせで回転することを特徴とする請求項１または２に記載の電子写真装置。
【発明の詳細な説明】
【０００１】
【発明の属する技術分野】
本発明は、電子写真記録装置、靜電記録装置等の電子写真装置に関するもので、さらに詳しくは、現像機へのトナー補給装置に関するものである。
【０００２】
【従来の技術】
従来の電子写真装置の構成を図２により説明する。第１図は、である。
【０００３】
図２において、１は感光体、２は帯電器、３は光学系、４はトナーを現像する現像機、５は現像機に補給するトナーを貯えているトナーホッパー、６は転写器、７は剥離器、８は清掃器、９は定着機、そして１０は用紙を示す。感光体１は、帯電器２により感光体１を帯電し、光学系３にて電気潜像を形成させる。次に、感光体１の帯電極性と同一の帯電極性を持つ非磁性トナーと、磁性キャリアとからなる２成分の現像剤４１を備え、前記感光体電位の低レベルと、高レベルとの間のバイアス電圧を印加した現像機４により、前記感光体電位の低レベル部にトナーを付着させ現像を行う。また、この現像機４は、現像剤４１のトナーとキャリアの混合比を検出するトナコンセンサ４２を備え、前記現像によりトナーが消費されると、トナーホッパー５に貯えられているトナー５１が、トナーホッパー５の一部であり、その回転によって現像機４へトナーを補給するトナー補給ローラー５２の回転により現像機４の中の現像剤４１に補給され、その結果、現像剤４１は一定のトナーとキャリアの混合比にコントロールされる。そして、感光体１上に現像されたトナーは、転写器６によって用紙１０に転写され、定着機９にて定着される。また感光体１上に残ったトナーは、清掃器８により清掃され、印刷の１サイクルが終了する。
【０００４】
【発明が解決しようとする課題】
上記の従来技術において、トナー補給ローラーによりトナーホッパーの全領域からトナーを現像機内部へ補給すると、現像剤移動方向の下流側にも落下直後の帯電が十分でないトナーが混じることになり、その帯電が十分でない現像剤領域で感光体上に現像されるため、印刷密度が高く白地が少ない印刷パターンでは目立つことがなく問題ないが、印刷密度が低く白地が多い印刷パターンにおいては、かぶりと呼ばれる背景汚れが目立つという不具合が発生する問題がある。一方、落下したトナーの帯電量を十分に立ち上げる目的で、トナーホッパーの中心付近から片側領域（現像剤移動方向の上流側）のみからトナーを現像機内部へ補給すると、感光体まで届くのに時間が掛かるのと、補給トナー量が多くないため、トナー消費の多い高印刷密度パターンの連続印刷の場合には、印刷濃度がだんだん薄くなってゆくという不具合が発生する問題がある。
【０００５】
【課題を解決するための手段】
本発明は、感光体の表面を帯電する帯電器と、前記感光体上に潜像を露光する光学系と、前記感光体上にトナー像を現像する現像機と、その最下部に回転により前記現像機にトナーを補給するトナー補給ローラーとを具備したトナーホッパーとを備えた電子写真装置において、前記トナー補給ローラーを、それぞれが独立して回転可能でかつその長手方向に並んで配設した複数個で構成したことを特徴とする。
【０００６】
【発明の実施の形態】
以下、本発明の一実施例を図１により詳細に説明する。
【０００７】
図１において、１は感光体、２は帯電器、３は光学系、４はトナーを現像する現像機、５は現像機に補給するトナーを貯えているトナーホッパー、６は転写器、７は剥離器、８は清掃器、９は定着機、１０は用紙、そして１１は印刷密度認識回路を示す。感光体１は、帯電器２により感光体１を負に帯電（−６００ｖ）し、光学系３にて電気潜像を形成させる。次に、感光体１の帯電極性と同一の帯電極性を持つ非磁性トナーと、磁性キャリアとからなる２成分の現像剤４１を備え、前記感光体電位の低レベル（−１００ｖ）と、高レベル（−６００ｖ）との間のバイアス電圧（−４００ｖ）を印加した現像機４により、前記感光体電位の低レベル（−１００ｖ）部にトナーを付着させ現像を行う。また、この現像機４は、現像剤４１のトナーとキャリアの混合比を検出するトナコンセンサ４２を備えている。
【０００８】
前記現像によりトナーが消費されると、トナーホッパー５に貯えられているトナー５１が、前記トナーホッパー５内に配設されて回転するトナー補給ローラー５２、５３により現像機４に補給され、現像剤４１は一定のトナーとキャリアの混合比にコントロールされる。前記トナー補給ローラー５２、５３は、軸方向に溝を切った金属棒と金属板金との組み合わせである爪車方式としてある。前記トナー補給ローラー５２、５３はそれぞれが独立して回転可能であり、かつその長手方向に並んで配設されている。トナー補給ローラー５２は、トナーホッパー５の長手方向中心付近から片側領域（現像剤移動方向の下流側）にトナーを補給し、他方トナー補給ローラー５３は他の片側領域（現像剤移動方向の上流側）にトナーを補給する。この際、図示しない印刷データを取り込んでいる印刷密度認識回路１１から印刷密度の大小により、低印刷密度信号１１１または高印刷密度信号１１２が発生する。低印刷密度信号１１１が発生した場合には、トナー補給ローラー５３を回転させることにより現像機内にトナー５１が補給される。また、高印刷密度信号１１２が発生した場合には、トナーホッパー５の全領域からトナーを現像機４内部へ補給するようにトナー補給ローラー５３および、もう片側領域（現像剤移動方向の下流側）のみのトナー補給ローラー５２の両方を同時に回転し現像機４内にトナー５１が補給される。そして、感光体１上に現像されたトナーは、転写器６によって用紙１０に転写され、定着機９にて定着される。また感光体１上に残ったトナーは、清掃器８により清掃され、印刷の１サイクルが終了する。
【０００９】
本実施例では、感光体１の帯電極性と同一の帯電極性を持つ非磁性トナーとしたが、逆の帯電極性を持つ非磁性トナーでも同様の効果を得ることが出来る。又、本実施例では、感光体帯電極性を負帯電としたが、正帯電でも同様の効果を得ることが出来る。又、本実施例ではトナー補給ローラーはトナーホッパーの内部に配設しているが、外部に配設しても同様の効果を得ることが出来る。又、トナー補給ローラーは１列としたが、複数列であっても同様の効果を得ることが出来る。さらには、トナー補給ローラーは軸方向に溝を切った金属棒と金属板金との組み合わせである爪車方式としたが、スポンジ等のように表面に凹凸部を持つ弾性体としても同様の効果を得ることが出来る。
【００１０】
【発明の効果】
本発明によれば、低印刷密度パターンから高印刷密度パターンまで、全ての印刷密度パターンに対し、かぶりおよび印刷濃度薄のない良好な印刷品質を得ることが出来る。
【図面の簡単な説明】
【図１】本発明の一実施例を示す電子写真装置の構成図である。
【図２】従来の電子写真装置を示す構成図である。
【符号の説明】
１は感光体、２は帯電器、３は光学系、４はトナーを現像する現像機、５は現像機に補給するトナーを貯えているトナーホッパー、６は転写器、７は剥離器、８は清掃器、９は定着機、そして１０は用紙、４１は現像剤、４２はトナコンセンサ、５１はトナー、５２、５３はトナー補給ローラー、１１は印刷密度認識回路、１１１は低印刷密度信号、１１２は高印刷密度信号である
【図１】
2004240229.tif 000003
【図２】
2004240229.tif 000004